【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
シリンダヘッドと、前記シリンダヘッドの孔の中で回転可能な軸流ロータリーバルブとを有する内燃機関用のロータリーバルブアセンブリであって、
前記バルブが、前記バルブの外周上の外周開口部から前記バルブの一端部の軸線方向開口部まで延在するポートを有し、
前記外周開口部が、前記バルブが回転する度に前記孔のウインドウを経て燃焼室に周期的に連通し、
前記外周開口部が第１のトレーリングエッジを有するとともに、前記ウインドウが第２のトレーリングエッジを有し、これにより、前記バルブが回転して前記第１のトレーリングエッジが前記第２のトレーリングエッジを通過する度に前記ポートが前記燃焼室から閉じる、ロータリーバルブアセンブリにおいて、
前記ポートが前記燃焼室から閉じるにつれて、前記第１のトレーリングエッジと前記第２のトレーリングエッジとの瞬間的な交点が前記ウインドウの全長の少なくとも５０％にわたり前記軸線方向開口部から次第に離れるように、前記第１のトレーリングエッジ及び前記第２のトレーリングエッジが配置されることを特徴とするロータリーバルブアセンブリ。
【請求項２】
前記ポートは吸気ポートである、請求項１記載のロータリーバルブアセンブリ。
【請求項３】
前記第１のトレーリングエッジ及び前記第２のトレーリングエッジは、前記ポートが前記燃焼室から閉じるにつれて、前記第１のトレーリングエッジと前記第２のトレーリングエッジとの瞬間的な交点が実質的に前記ウインドウの全長にわたり前記軸線方向開口部から次第に離れるように配置される、請求項１に記載のロータリーバルブアセンブリ。
【請求項４】
前記第１のトレーリングエッジの少なくとも５０％は、実質的に直線であって前記バルブの軸線に対して傾いており、
前記第２のトレーリングエッジは、実質的に直線であって前記バルブの軸線に平行である、請求項１に記載のロータリーバルブアセンブリ。
【請求項５】
前記第１のトレーリングエッジは、実質的に直線であって前記バルブの軸線に対して傾いている、請求項４に記載のロータリーバルブアセンブリ。
【請求項６】
前記ウインドウは実質的に長方形である、請求項１に記載のロータリーバルブアセンブリ。
【請求項７】
前記ウインドウの全長は、前記ロータリーバルブアセンブリに適合したシリンダの孔径の少なくとも６０％である、請求項１に記載のロータリーバルブアセンブリ。
【請求項８】
前記ウインドウの全長の１／２よりも長い、前記外周開口部の軸線方向部分が、前記軸線方向部分の軸線方向の中央の点を通って前記軸線に垂直に位置する平面に関して非対称であることを特徴とする、請求項１に記載のロータリーバルブアセンブリ。
【請求項９】
前記ウインドウの全長の１／２よりも長い、前記ウインドウの軸線方向部分が、前記軸線方向部分の軸線方向の中央の点を通って前記軸線に垂直に位置する平面に関して非対称であることを特徴とする、請求項１に記載のロータリーバルブアセンブリ。
【請求項１０】
前記外周開口部が第１のリーディングエッジを有するとともに、前記ウインドウが第２のリーディングエッジを有し、これにより、前記バルブが回転して前記第１のリーディングエッジが前記第２のリーディングエッジを通過する度に前記ポートが前記燃焼室に対して開き、
前記第１のリーディングエッジ及び前記第２のリーディングエッジは、前記ポートが前記燃焼室から閉じるにつれて、前記第１のリーディングエッジと前記第２のリーディングエッジとの瞬間的な交点が前記ウインドウの全長の少なくとも５０％にわたり前記軸線方向開口部の方へ次第に移動するように配置される、請求項１に記載のロータリーバルブアセンブリ。
【請求項１１】
前記外周開口部は、前記軸線方向開口部から遠い端部よりも前記軸線方向開口部に近い端部の方が狭い、請求項１に記載のロータリーバルブアセンブリ。
【請求項１２】
前記外周開口部の幅は、前記軸線方向開口部から遠い端部で最大長から前記軸線方向開口部に近い端部で最小長まで減少する、請求項１１に記載のロータリーバルブアセンブリ。
【請求項１３】
前記ウインドウのトレーリングエッジは、前記軸線に実質的に平行である、請求項１１又は１２に記載のロータリーバルブアセンブリ。
【請求項１４】
前記ウインドウは、前記軸線方向開口部から遠い端部よりも前記軸線方向開口部に近い端部の方が狭い、請求項１に記載のロータリーバルブアセンブリ。
【請求項１５】
前記ウインドウの幅は、前記軸線方向開口部から遠い端部での最大長から前記軸線方向開口部に近い端部での最小長まで減少する、請求項１４に記載のロータリーバルブアセンブリ。
【請求項１６】
前記外周開口部のトレーリングエッジは前記軸線に実質的に平行である、請求項１４又は１５に記載のロータリーバルブアセンブリ。
【手続補正２】
【補正対象書類名】明細書
【補正対象項目名】００２０
【補正方法】変更
【補正の内容】
【００２０】
第１のトレーリングエッジの全長の少なくとも５０％は実質的に直線であってバルブの軸線に対して傾いており、第２のトレーリングエッジは実質的に直線であってバルブの軸線に平行であることが好ましい。そして第１のトレーリングエッジはその全長が実質的に直線であってバルブの軸線に対して傾いていることがさらに好ましい。
【手続補正３】
【補正対象書類名】明細書
【補正対象項目名】００２２
【補正方法】変更
【補正の内容】
【００２２】
ウインドウの全長の５０％よりも長い、外周開口部又はウインドウの軸線方向部分、又は両方の軸線方向部分はそれぞれ、軸線方向部分の軸線方向の中央を通り軸線に垂直な平面に関して非対称であることが好ましい。
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】変更
【補正の内容】
【００２４】
外周開口部は第１のリーディングエッジを有し、ウインドウは第２のリーディングエッジを有し、バルブが回転して、第１のリーディングエッジが第２のリーディングエッジを通過する度に、ポートが燃焼室に開き、第１及び第２のリーディングエッジは、ポートが燃焼室から閉じるにつれて、第１と第２のリーディングエッジとの瞬間的な交点がウインドウの全長の少なくとも５０％にわたり軸線方向開口部の方へ次第に移動するように配置されると好ましい。
【手続補正６】
【補正対象書類名】明細書
【補正対象項目名】００２５
【補正方法】変更
【補正の内容】
【００２５】
好適な実施例では、外周開口部は軸線方向開口部から遠い端部よりも軸線方向開口部に近い端部の方が狭い。外周開口部の幅は、軸線方向開口部から遠い端部での最大長から軸線方向開口部に近い端部での最小長まで減少することが好ましい。ウインドウのトレーリングエッジは軸線に実質的に平行であることが好ましい。
【手続補正７】
【補正対象書類名】明細書
【補正対象項目名】００２６
【補正方法】変更
【補正の内容】
【００２６】
他の好適な実施例では、ウインドウは軸線方向開口部から遠い端部よりも軸線方向開口部に近い端部の方が狭い。ウインドウの幅は軸線方向開口部から遠い端部での最大長から軸線方向開口部に近い端部での最小長まで減少することが好ましい。外周開口部のトレーリングエッジは軸線に実質的に平行であることが好ましい。
【手続補正８】
【補正対象書類名】明細書
【補正対象項目名】００２７
【補正方法】削除
【補正の内容】